【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
手ブレ補正を行って撮像した映像を表示する動画撮影装置であって、
映像を撮像する撮像手段と、
前記撮像手段により逐次撮像される映像を逐次表示する映像表示手段と、
前記映像表示手段によって映像を表示する際に、前記撮像手段によって撮像された映像から所定の画角で映像を切り取るとともに、この切り取られた映像を所定の表示サイズに拡大または縮小する切取手段と、
前記映像表示手段によって映像を表示する際に、この映像の像ブレに応じて前記切取手段による映像の切り取り位置を変化させることでブレ補正を行うブレ補正手段と、
前記ブレ補正手段によるブレ補正の有効／無効を、動画撮影の開始前において事前に設定する設定手段と、
動画撮影を開始する前のモニタ表示状態においては、前記設定手段により設定されているブレ補正の有効／無効の設定状態にかかわらず、前記切取手段が映像を切り取る画角を第１の画角に維持した状態で前記映像表示手段による映像の表示動作を行う第１の制御手段と、
動画撮影を開始する際に前記設定手段によるブレ補正の設定状態を判定し、この判定結果に応じて、動画撮影を開始した後に前記切取手段が映像を切り取る画角を前記第１の画角に維持するか、動画撮影を開始した後に前記切取手段が映像を切り取る画角を前記第１の画角から該第１の画角とは異なる第２の画角へと徐々に変化させるかを選択動作させる第２の制御手段と、
を具備することを特徴とする動画撮影装置。
【請求項２】
前記第１の制御手段は、動画撮影を開始する前のモニタ表示状態においては、前記設定手段により設定されているブレ補正の有効／無効の設定状態にかかわらず、前記切取手段が映像を切り取る画角を、前記第２の画角よりも広い第１の画角に維持した状態で前記映像表示手段による映像の表示動作を行い、
前記第２の制御手段は、動画撮影を開始する際に前記設定手段によるブレ補正の設定状態を判定し、ブレ補正が無効であると判定された場合には、動画撮影を開始した後に前記切取手段が映像を切り取る画角を前記第１の画角に維持し、ブレ補正が有効であると判定された場合には、動画撮影を開始した後に前記切取手段が映像を切り取る画角を前記第１の画角から該第１の画角よりも狭い第２の画角へと徐々に変化させることを特徴とする請求項１記載の動画撮影装置。
【請求項３】
前記第１の制御手段は、動画撮影を開始する前のモニタ表示状態においては、前記設定手段により設定されているブレ補正の有効／無効の設定状態にかかわらず、前記切取手段が映像を切り取る画角を、前記第２の画角よりも狭い第１の画角に維持した状態で前記映像表示手段による映像の表示動作を行い、
前記第２の制御手段は、動画撮影を開始する際に前記設定手段によるブレ補正の設定状態を判定し、ブレ補正が有効であると判定された場合には、動画撮影を開始した後に前記切取手段が映像を切り取る画角を前記第１の画角に維持し、ブレ補正が無効であると判定された場合には、動画撮影を開始した後に前記切取手段が映像を切り取る画角を前記第１の画角から該第１の画角よりも広い第２の画角へと徐々に変化させることを特徴とする請求項１記載の動画撮影装置。
【請求項４】
前記切取手段による切り取り画角の増減を指示可能とする指示手段を具備することを特徴とする請求項１ないし３のいずれかに記載の動画撮影装置。
【請求項５】
前記ブレ補正手段によるブレ補正の有効／無効を指示するブレ補正指示手段を具備することを特徴とする請求項１ないし４のいずれかに記載の動画撮影装置。
【請求項６】
前記切取手段が映像を切り取る画角をユーザー操作に応じて任意に変化させる第３の制御手段を更に備えたことを特徴とする請求項１記載の動画撮影装置。
【請求項７】
前記前記第２の制御手段による前記第１の画角から前記第２の画角への変化が完了した後に、前記切取手段が映像を切り取る画角をユーザー操作に応じて任意に変更することを可能にする第３の制御手段を更に備えたことを特徴とする請求項１記載の動画撮影装置。
【請求項８】
手ブレ補正を行って撮像した映像を表示する動画撮影プログラムであって、
コンピュータに、
映像を撮像する撮像機能、
逐次撮像される映像を逐次表示させる映像表示機能、
前記映像を表示させる際に、撮像された映像から所定の画角で映像を切り取るとともに、この切り取られた映像を所定の表示サイズに拡大または縮小する切取機能、
前記映像を表示する際に、この映像の像ブレに応じて映像の切り取り位置を変化させることでブレ補正を行うブレ補正機能、
前記ブレ補正機能によるブレ補正の有効／無効を、動画撮影の開始前において事前に設定する設定機能と、
動画撮影を開始する前のモニタ表示状態においては、前記設定機能により設定されているブレ補正の有効／無効の設定状態にかかわらず、前記切取機能が映像を切り取る画角を第１の画角に維持した状態で前記映像表示機能による映像の表示動作を行う第１の制御機能と、
動画撮影を開始する際に前記設定機能によるブレ補正の設定状態を判定し、この判定結果に応じて、動画撮影を開始した後に前記切取機能が映像を切り取る画角を前記第１の画角に維持するか、動画撮影を開始した後に前記切取機能が映像を切り取る画角を前記第１の画角から該第１の画角とは異なる第２の画角へと徐々に変化させるかを選択動作させる第２の制御機能と、
を実現することを特徴とする動画撮影プログラム。
【手続補正２】
【補正対象書類名】明細書
【補正対象項目名】０００７
【補正方法】変更
【補正の内容】
【０００７】
上記目的達成のため、請求項１、８記載の発明は、手ブレ補正を行って撮像した映像を表示する動画撮影装置であって、映像を撮像する撮像手段と、前記撮像手段により逐次撮像される映像を逐次表示する映像表示手段と、前記映像表示手段によって映像を表示する際に、前記撮像手段によって撮像された映像から所定の画角で映像を切り取るとともに、この切り取られた映像を所定の表示サイズに拡大または縮小する切取手段と、前記映像表示手段によって映像を表示する際に、この映像の像ブレに応じて前記切取手段による映像の切り取り位置を変化させることでブレ補正を行うブレ補正手段と、前記ブレ補正手段によるブレ補正の有効／無効を、動画撮影の開始前において事前に設定する設定手段と、動画撮影を開始する前のモニタ表示状態においては、前記設定手段により設定されているブレ補正の有効／無効の設定状態にかかわらず、前記切取手段が映像を切り取る画角を第１の画角に維持した状態で前記映像表示手段による映像の表示動作を行う第１の制御手段と、動画撮影を開始する際に前記設定手段によるブレ補正の設定状態を判定し、この判定結果に応じて、画撮影を開始した後に前記切取手段が映像を切り取る画角を前記第１の画角に維持するか、動画撮影を開始した後に前記切取手段が映像を切り取る画角を前記第１の画角から該第１の画角とは異なる第２の画角へと徐々に変化させるかを選択動作させる第２の制御手段と、を具備することを特徴とする。
【手続補正３】
【補正対象書類名】明細書
【補正対象項目名】０００８
【補正方法】変更
【補正の内容】
【０００８】
また、好ましい態様として、例えば請求項２記載のように、前記第１の制御手段は、動画撮影を開始する前のモニタ表示状態においては、前記設定手段により設定されているブレ補正の有効／無効の設定状態にかかわらず、前記切取手段が映像を切り取る画角を、前記第２の画角よりも広い第１の画角に維持した状態で前記映像表示手段による映像の表示動作を行い、前記第２の制御手段は、動画撮影を開始する際に前記設定手段によるブレ補正の設定状態を判定し、ブレ補正が無効であると判定された場合には、動画撮影を開始した後に前記切取手段が映像を切り取る画角を前記第１の画角に維持し、ブレ補正が有効であると判定された場合には、動画撮影を開始した後に前記切取手段が映像を切り取る画角を前記第１の画角から該第１の画角よりも狭い第２の画角へと徐々に変化させるようにしてもよい。
【手続補正４】
【補正対象書類名】明細書
【補正対象項目名】０００９
【補正方法】変更
【補正の内容】
【０００９】
また、好ましい態様として、例えば請求項３記載のように、前記第１の制御手段は、動画撮影を開始する前のモニタ表示状態においては、前記設定手段により設定されているブレ補正の有効／無効の設定状態にかかわらず、前記切取手段が映像を切り取る画角を、前記第２の画角よりも狭い第１の画角に維持した状態で前記映像表示手段による映像の表示動作を行い、前記第２の制御手段は、動画撮影を開始する際に前記設定手段によるブレ補正の設定状態を判定し、ブレ補正が有効であると判定された場合には、動画撮影を開始した後に前記切取手段が映像を切り取る画角を前記第１の画角に維持し、ブレ補正が無効であると判定された場合には、動画撮影を開始した後に前記切取手段が映像を切り取る画角を前記第１の画角から該第１の画角よりも広い第２の画角へと徐々に変化させるようにしてもよい。
【手続補正５】
【補正対象書類名】明細書
【補正対象項目名】００１１
【補正方法】変更
【補正の内容】
【００１１】
また、好ましい態様として、例えば請求項５記載のように、請求項１ないし４のいずれかに記載の動画撮影装置において、前記ブレ補正手段によるブレ補正の有効／無効を指示するブレ補正指示手段を具備するようにしてもよい。
また、好ましい態様として、例えば請求項６記載のように、前記切取手段が映像を切り取る画角をユーザー操作に応じて任意に変化させる第３の制御手段を更に備えるようにしてもよい。
また、好ましい態様として、例えば請求項７記載のように、前記前記第２の制御手段による前記第１の画角から前記第２の画角への変化が完了した後に、前記切取手段が映像を切り取る画角をユーザー操作に応じて任意に変更することを可能にする第３の制御手段を更に備えるようにしてもよい。
【手続補正６】
【補正対象書類名】明細書
【補正対象項目名】００１２
【補正方法】変更
【補正の内容】
【００１２】
本発明によれば、動画撮影を開始する前のモニタ表示状態においては、ブレ補正の有効／無効の設定状態にかかわらず、映像を切り取る画角を第１の画角に維持した状態で映像の表示動作を行い、動画撮影を開始する際にブレ補正の設定状態を判定し、この判定結果に応じて、動画撮影を開始した後に映像を切り取る画角を第１の画角に維持するか、動画撮影を開始した後に第１の画角から第２の画角へと徐々に変化させるかを選択動作させるようにしたので、モニタ表示状態から動画撮影状態へと切り換える際の、手ブレ補正の有効／無効による画角変化に係る視覚的な違和感を低減することができるという利点が得られる。